(57)【要約】【課題】自動車の音響や空調機器等の操作に用いられる照光装置に関し、簡易な構成で、表示の視認が行い易いものを提供することを目的とする。【解決手段】外周が不透光部１Ｂで覆われると共に、上面に透光性の表示部１Ｃが形成された略箱状の操作体１を、揺動可能に略箱状のケース１２に収納し、操作体１下方に発光素子５を配置して、ケース１２の内側面に操作体１の外側面より内側へ突出した遮光部１２Ｅを設けて照光装置を構成することによって、発光素子５による隙間１２Ｆへの光を遮り、隙間１２Ｆからの光もれが少なくなるため、簡易な構成で、操作体１の表示の視認が行い易い照光装置を得ることができる。【選択図】図１
2007287411.tif 000002
【特許請求の範囲】
【請求項１】
外周が不透光部で覆われると共に、上面に透光性の表示部が形成された略箱状の操作体と、この操作体を揺動または上下動可能に収納した略箱状のケースと、上記操作体下方に配置された発光体からなり、上記ケースの内側面に上記操作体の外側面より内側へ突出した遮光部を設けた照光装置。
【発明の詳細な説明】
【技術分野】
【０００１】
本発明は、主に自動車の音響や空調機器等の操作に用いられる照光装置に関するものである。
【背景技術】
【０００２】
近年、車室内のフロントパネル部に、複数の押圧または回転操作型電子部品を備えた照光装置を配置し、夜間でもオーディオやエアコン等の各種電子機器の操作を行い易くしたものが増えている。
【０００３】
このような従来の照光装置について、図４及び図５を用いて説明する。
【０００４】
図４は従来の照光装置の断面図、図５は同分解斜視図であり、同図において、１は絶縁樹脂製で略箱状の操作体で、透明または乳白色等の透光部１Ａの外周全面が塗装等によって、黒色や暗灰色等の不透光性１Ｂで覆われると共に、上面には透光部１Ａが露出した、文字や記号等の形状で透光性の表示部１Ｃが形成されている。
【０００５】
そして、２はベージュ色やシルバー色などの明色の絶縁樹脂製で略箱状のケースで、ケース２内の中間部には上方へ突出する中空筒部２Ａが設けられると共に、右方には上部側面に軸部２Ｂが突出した支持体２Ｃが前後端の近傍に形成されている。
【０００６】
また、各軸部２Ｂに操作体１の軸孔部１Ｄが係止され、操作体１がケース２内に揺動可能に収納されると共に、ケース２上面の開口部２Ｄから操作体１が上方へ突出している。
【０００７】
そして、３は上下面に複数の導電パターン（図示せず）が形成された配線基板で、上面にはプッシュスイッチ４が実装され、このプッシュスイッチ４の操作部４Ａに、操作体１下面から下方へ突出した押圧部１Ｅが当接している。
【０００８】
さらに、この配線基板３には各種電子部品（図示せず）が実装されると共に、中空筒部２Ａ中央には、発光ダイオード等の発光素子５が実装されて照光装置が構成されている。
【０００９】
そして、このような照光装置は車室内のフロントパネル部に装着され、プッシュスイッチ４や発光素子５等が配線基板３からコネクタ（図示せず）等を介してオーディオやエアコン等の各種電子機器や、自動車の電子回路（図示せず）に電気的に接続される。
【００１０】
以上の構成において、操作体１を下方へ押圧操作すると、軸部２Ｂを中心に操作体１が反時計方向に揺動すると共に、押圧部１Ｅが操作部４Ａを押圧して、プッシュスイッチ４の電気的接離が行われ、例えば、オーディオの音量やエアコンの温度等の切換えが行われる。
【００１１】
また、この時、発光素子５が発光し、この光が中空筒部２Ａ内を通過して上方の操作体１の透光部１Ａ全体を照光して、文字や記号等の形状で透光性の表示部１Ｃが照光されるため、夜間等の周囲が暗い場合でも、表示部１Ｃの表示や、操作体１の位置が確認し易いように構成されているものであった。
【００１２】
なお、この出願の発明に関連する先行技術文献情報としては、例えば、特許文献１が知られている。
【特許文献１】特開２００１−２８３６７３号公報
【発明の開示】
【発明が解決しようとする課題】
【００１３】
しかしながら、上記従来の照光装置においては、発光素子５を発光させ操作体１内周の透光部１Ａ全体を照光した際、中空筒部２Ａで発光素子５からの光の照光範囲を制限しているが、図４の矢印２Ｅで示すように、操作体１の透光部１Ａ裏面からの光が中空筒部２Ａ外側の明色の底面に反射し、この光がケース２の開口部２Ｄと操作体１の隙間から外へもれてしまうため、表示部１Ｃの表示等が見づらくなるという課題があった。
【００１４】
本発明は、このような従来の課題を解決するものであり、簡易な構成で、操作体外周からの光もれが少なく、操作体の表示が視認し易い照光装置を提供することを目的とする。
【課題を解決するための手段】
【００１５】
上記目的を達成するために本発明は、以下の構成を有するものである。
【００１６】
本発明の請求項１に記載の発明は、外周が不透光部で覆われると共に、上面に透光性の表示部が形成された略箱状の操作体を、揺動または上下動可能に略箱状のケースに収納し、操作体下方に発光体を配置して、ケースの内側面に操作体の外側面より内側へ突出した遮光部を設けて照光装置を構成したものであり、遮光部によって発光素子からの光が遮られて、ケースと操作体の隙間から光もれが少なくなるため、簡易な構成で、操作体の表示の視認が行い易い照光装置を得ることができるという作用を有する。
【発明の効果】
【００１７】
以上のように本発明によれば、簡易な構成で、表示の視認が行い易い照光装置を実現することができるという有利な効果が得られる。
【発明を実施するための最良の形態】
【００１８】
以下、本発明の実施の形態について、図１〜図３を用いて説明する。
【００１９】
なお、背景技術の項で説明した構成と同一構成の部分には同一符号を付して、詳細な説明を簡略化する。
【００２０】
（実施の形態）
図１は本発明の一実施の形態による照光装置の断面図、図２は同分解斜視図であり、同図において、１はポリカーボネート等の絶縁樹脂製の操作体で、透明または乳白色等の透光部１Ａの外周全面が、塗装や二色成形等によって、黒色や暗灰色等の不透光部１Ｂで覆われると共に、上面には透光部１Ａが露出した、文字や記号等の形状で透光性の表示部１Ｃが形成されている。
【００２１】
また、１２はベージュ色やシルバー色などの明色でＡＢＳやポリカーボネート等の絶縁樹脂製のケースで、略箱状のケース１２の中間部には上方へ突出する中空筒部１２Ａが設けられると共に、右方には上部側面に軸部１２Ｂが突出した支持体１２Ｃが前後端の近傍に各々形成されている。
【００２２】
また、各軸部１２Ｂに操作体１の軸孔部１Ｄが係止され、操作体１がケース１２内に揺動可能に収納されると共に、ケース１２上面の開口部１２Ｄから操作体１が上方へ突出している。
【００２３】
なお、操作体１の外側面の下方には、ケース１２の内側面が操作体１の外側面より内側に突出した略壁状の遮光部１２Ｅがケース１２の所定の内周に形成されている。
【００２４】
そして、３は紙フェノール樹脂やガラス入りエポキシ樹脂等の配線基板で、この上下面には銅箔等によって複数の導電パターン（図示せず）が形成されると共に、上面にはプッシュスイッチ４が実装され、このプッシュスイッチ４の操作部４Ａに、操作体１下面から下方へ突出した押圧部１Ｅが当接している。
【００２５】
さらに、配線基板３には各種電子部品（図示せず）が実装されると共に、中空筒部１２Ａ中央には発光ダイオード等の発光素子５が実装され、この配線基板３がケース１２下面に固定されて照光装置が構成されている。
【００２６】
そして、このような照光装置は車室内のフロントパネル部に装着され、プッシュスイッチ４や発光素子５等がコネクタ等（図示せず）を介して、オーディオやエアコン等の各種電子機器や、自動車の電子回路（図示せず）に電気的に接続される。
【００２７】
以上の構成において、図３の断面図に示すように、操作体１を下方へ押圧操作すると、軸部１２Ｂを中心に操作体１が反時計方向に揺動すると共に、押圧部１Ｅが操作部４Ａを押圧して、プッシュスイッチ４の電気的接離が行われ、例えば、オーディオの音量やエアコンの温度等の切換えが行われる。
【００２８】
また、発光素子５が発光し、この光が中空筒部１２Ａ内を通過して上方の操作体１の透光部１Ａ全体を照光して、文字や記号等の形状で透光性の表示部１Ｃが照光されるため、夜間等の周囲が暗い場合でも、表示部１Ｃの表示や、操作体１の位置の確認を容易に行うことができる。
【００２９】
そして、この時、発光素子５によって操作体１内周の透光部１Ａ全体が照光された際、操作体１の透光部１Ａの裏面からの光が中空筒部１２Ａ外側の明色の底面に反射するが、ケース１２内側面が操作体１の外側面より内側へ突出した略壁状の遮光部１２Ｅがケース１２内周に形成されているため、この光が遮光部１２Ｅによって遮られて開口部１２Ｄと操作体１との隙間１２Ｆからの光もれが少なくなるように構成されている。
【００３０】
このように本実施の形態によれば、外周が不透光部１Ｂで覆われると共に、上面に透光性の表示部１Ｃが形成された略箱状の操作体１を、揺動可能に略箱状のケース１２に収納し、操作体１下方に発光素子５を配置し、ケース１２の内側面に操作体１の外側面より内側へ突出した遮光部１２Ｅを設けて照光装置を構成することによって、発光素子５によるケース１２と操作体１の隙間１２Ｆへの光を遮り、隙間１２Ｆからの光もれが少なくなるため、簡易な構成で、操作体１の表示の視認が行い易い照光装置を得ることができるものである。
【００３１】
なお、以上の説明では、配線基板３に実装されたプッシュスイッチ４を、揺動操作する操作体１によって押圧操作する構成として説明したが、この他にも上下動操作するなど様々な構成のスイッチにおいて本発明の実施は可能であり、さらに回転操作型のスイッチや可変抵抗器等においても実施が可能である。
【産業上の利用可能性】
【００３２】
本発明による照光装置は、簡易な構成で、表示の視認が行い易いものを実現することができ、主に自動車の音響や空調機器等の操作に用いられる照光装置等に有用である。
【図面の簡単な説明】
【００３３】
【図１】本発明の一実施の形態による照光装置の断面図
【図２】同分解斜視図
【図３】同操作時断面図
【図４】従来の照光装置の断面図
【図５】同分解斜視図
【符号の説明】
【００３４】
１  操作体
１Ａ  透光部
１Ｂ  不透光部
１Ｃ  表示部
１Ｄ  軸孔部
１Ｅ  押圧部
３  配線基板
４  プッシュスイッチ
４Ａ  操作部
５  発光素子
１２  ケース
１２Ａ  中空筒部
１２Ｂ  軸部
１２Ｃ  支持体
１２Ｄ  開口部
１２Ｅ  遮光部
１２Ｆ  隙間
【図１】
2007287411.tif 000003
【図２】
2007287411.tif 000004
【図３】
2007287411.tif 000005
【図４】
2007287411.tif 000006
【図５】
2007287411.tif 000007